【事件の表示】
　特許第３１２５６９７号「出窓」の請求項１、２、５に係る特許に対する特許異議の申立てについて、次のとおり決定する。
【結　論】
　訂正を認める。
　本件特許異議の申立てを却下する。
【理　由】
１．手続の経緯
　本件特許第３１２５６９７号に係る出願は、平成８年１１月２６日の出願であって、平成１２年１１月２日に特許権の設定登録がなされ、その後、稲垣聖から特許異議の申立がなされ、取消理由が通知され、その指定期間内である平成１３年１１月２９日に訂正請求がなされたものである。
　
２．訂正の要旨
　訂正事項ａ：特許請求の範囲の請求項１，２，５を削除する。
　訂正事項ｂ：特許請求の範囲を、次のように訂正する。
【請求項１】　屋根部と本体部と底部とを備え、底部は躯体に当接する垂直壁を有する下取付け枠と断熱底部材を備え、下取付け枠の垂直壁の室外側面と本体部における竪取付け枠下端部の室内側面との当接個所をシール材で密封すると共に、断熱底部材の周囲と底部を構成する枠材の内面との間にシール材を設けて、断熱底部材の周囲と底部を構成する枠材との間を密封してあり、竪取付け枠下端部の室内側面と下取付け枠との間に位置するシール材を第１のシール材とし、断熱底部材の周囲と底部を構成する枠材との間に位置するシール材を第２のシール材として、第１シール材と第２のシール材とを連続させてあることを特徴とした出窓。
【請求項２】　下取付け枠の垂直壁の室外側面と本体部における竪取付け枠下端部の室内側面との間に第１のシール材を、竪取付け枠下端部の室内側面を横断する配置として設け、下取付け枠の垂直壁の室外側面に竪取付け枠下端部の室内側面を当接してあることを特徴とした請求項１に記載の出窓。
【請求項３】　屋根部と本体部と底部とを備え、底部は躯体に当接する垂直壁を有する下取付け枠を備え、下取付け枠の垂直壁の室外側面と本体部における竪取付け枠下端部の室内側面との当接個所をシール材で密封すると共に、竪取付け枠の下端に竪取付け枠の開口を閉塞するキャップを設け、キャップに竪取付け枠下端部の室内側面に存在する凹部に嵌入し、下取付け枠の垂直壁との当接面を平らに形成しシール材に到達する長さの差込み片を一体に形成してあることを特徴とした出窓。
【請求項４】　下取付け枠の垂直壁の室外側面と本体部における竪取付け枠下端部の室内側面との間に設けるシール材を、竪取付け枠下端部の室内側面を横断する配置とし、下取付け枠の垂直壁の室外側面に竪取付け枠下端部の室内側面を当接してあることを特徴とした請求項３に記載の出窓。
　訂正事項ｃ：明細書の段落【００１３】の記載を、次のように訂正する。
【発明の効果】　請求項１に記載の構成によれば、出窓の底部下面からの外気が竪取付け枠下端部と下取付け枠の垂直壁との当接部を通じて出窓底部の内部に入り込むのを防止するので、出窓の室内側部材が外気の影響を受けにくい。この結果、断熱効果が向上し、また、結露を防止することができる。さらに、出窓底部の全周にわたって下面からの外気の侵入をより確実に防止して高い断熱性能および防音性能を得ることができる。
　請求項２に記載の構成によれば、請求項１の構成に加えさらに、作業のしやすい帯状やストリップに形成されたシール材を利用することができる。また、必要な個所にシール材を配置することができるので、出窓のコストを低減することができる。
　請求項３に記載の構成によれば、キャップを装着することによって、竪取付け枠の下端部室内側面が平らになるので、下取付け枠の垂直壁との当接個所が確実に密封され、断熱および防音性能が向上する。
　請求項４に記載の構成によれば、請求項３の効果に加えさらに、作業のしやすい帯状やストリップに形成されたシール材を利用することができる。また、必要な個所にシール材を配置することができるので、出窓のコストを低減することができる。
　
３．訂正の適否
（１）訂正の目的の適否、新規事項の有無及び拡張・変更の存否
　上記訂正事項ａに係る訂正は、請求項の削除であり、特許請求の範囲の減縮に該当し、かつ、実質上特許請求の範囲を拡張し、又は変更するものではない。
　上記訂正事項ｂに係る訂正は、請求項の整合性をとると共に、引用形式で記載されていた発明を独立させ、誤記の訂正をし、かつ、請求項４における請求項３を引用した発明を削除したものであり、特許請求の範囲の減縮、誤記の訂正および訂正事項ａに関連してなされた明りょうでない記載の釈明を目的とするものであり、願書に添付した明細書又は図面に記載した事項の範囲内のものであり、さらに、実質上特許請求の範囲を拡張し、又は変更するものではない。
　また、訂正事項ｃに係る訂正は、訂正事項ａおよびｂに関連してなされた明りょうでない記載の釈明に該当し、願書に添付した明細書又は図面に記載した事項の範囲内のものであり、さらに、実質上特許請求の範囲を拡張し、又は変更するものではない。
　ここで、上記訂正事項ｂに係る訂正は、特許異議の申立がされていない請求項についての訂正ではあるが、特許請求の範囲の減縮を目的としたものは発明の削除であり、訂正後の発明の内容は、実質的に変更されていない。
　したがって、上記訂正は、特許法第１２０条の４第２項及び第３項で準用する特許法第１２６条第２項および第３項の規定に適合するので、当該訂正を認める。
　
４．異議の申立てについての判断
　請求項１，２，５に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１３年１２月１８日（２００１．１２．１８）
【訂正の要旨】
訂正の要旨
　特許第３１２５６９７号の明細書を、特許請求の範囲の減縮を目的として訂正事項ａのように、また、特許請求の範囲の減縮、誤記の訂正および訂正事項ａに関連してなされた明りょうでない記載の釈明を目的として訂正事項ｂのように、さらに、訂正事項ａおよびｂに関連してなされた明りょうでない記載の釈明を目的として訂正事項ｃのように訂正する。
　訂正事項ａ：特許請求の範囲の請求項１，２，５を削除する。
　訂正事項ｂ：特許請求の範囲を、次のように訂正する。
　【請求項１】　屋根部と本体部と底部とを備え、底部は躯体に当接する垂直壁を有する下取付け枠と断熱底部材を備え、下取付け枠の垂直壁の室外側面と本体部における竪取付け枠下端部の室内側面との当接個所をシール材で密封すると共に、断熱底部材の周囲と底部を構成する枠材の内面との間にシール材を設けて、断熱底部材の周囲と底部を構成する枠材との間を密封してあり、竪取付け枠下端部の室内側面と下取付け枠との間に位置するシール材を第１のシール材とし、断熱底部材の周囲と底部を構成する枠材との間に位置するシール材を第２のシール材として、第１シール材と第２のシール材とを連続させてあることを特徴とした出窓。
　【請求項２】　下取付け枠の垂直壁の室外側面と本体部における竪取付け枠下端部の室内側面との間に第１のシール材を、竪取付け枠下端部の室内側面を横断する配置として設け、下取付け枠の垂直壁の室外側面に竪取付け枠下端部の室内側面を当接してあることを特徴とした請求項１に記載の出窓。
　【請求項３】　屋根部と本体部と底部とを備え、底部は躯体に当接する垂直壁を有する下取付け枠を備え、下取付け枠の垂直壁の室外側面と本体部における竪取付け枠下端部の室内側面との当接個所をシール材で密封すると共に、竪取付け枠の下端に竪取付け枠の開口を閉塞するキャップを設け、キャップに竪取付け枠下端部の室内側面に存在する凹部に嵌入し、下取付け枠の垂直壁との当接面を平らに形成しシール材に到達する長さの差込み片を一体に形成してあることを特徴とした出窓。
　【請求項４】　下取付け枠の垂直壁の室外側面と本体部における竪取付け枠下端部の室内側面との間に設けるシール材を、竪取付け枠下端部の室内側面を横断する配置とし、下取付け枠の垂直壁の室外側面に竪取付け枠下端部の室内側面を当接してあることを特徴とした請求項３に記載の出窓。
　訂正事項ｃ：明細書の段落【００１３】の記載を、次のように訂正する。
　【発明の効果】　請求項１に記載の構成によれば、出窓の底部下面からの外気が竪取付け枠下端部と下取付け枠の垂直壁との当接部を通じて出窓底部の内部に入り込むのを防止するので、出窓の室内側部材が外気の影響を受けにくい。この結果、断熱効果が向上し、また、結露を防止することができる。さらに、出窓底部の全周にわたって下面からの外気の侵入をより確実に防止して高い断熱性能および防音性能を得ることができる。
　請求項２に記載の構成によれば、請求項１の構成に加えさらに、作業のしやすい帯状やストリップに形成されたシール材を利用することができる。また、必要な個所にシール材を配置することができるので、出窓のコストを低減することができる。
　請求項３に記載の構成によれば、キャップを装着することによって、竪取付け枠の下端部室内側面が平らになるので、下取付け枠の垂直壁との当接個所が確実に密封され、断熱および防音性能が向上する。
　請求項４に記載の構成によれば、請求項３の効果に加えさらに、作業のしやすい帯状やストリップに形成されたシール材を利用することができる。また、必要な個所にシール材を配置することができるので、出窓のコストを低減することができる。
（５４）【発明の名称】
出窓
（５７）【特許請求の範囲】
　【請求項１】　屋根部と本体部と底部とを備え、底部は躯体に当接する垂直壁を有する下取付け枠
と断熱底部材
すると共に、断熱底部材の周囲と底部を構成する枠材の内面との間にシール材を設けて、断熱底部材の周囲と底部を構成する枠材との間を密封してあり、竪取付け枠下端部の室内側面と下取付け枠との間に位置するシール材を第１のシール材とし、断熱底部材の周囲と低部を構成する枠材との間の位置するシール材を第２のシール材として、第１シール材と第２のシール材とを連続させて
　【請求項２】　下取付け枠の垂直壁の室外側面と本体部における竪取付け枠下端部の室内側面との間に
第１の
竪取付け枠
請求項１に記載の
　【請求項３】　屋根部と本体部と底部とを備え、底部は躯体に当接する垂直壁を有する下取付け枠を備え、下取付け枠の垂直壁の室外側面と本体部における竪取付け枠下端部の室内側面との当接個所をシール材で密封
すると共に
　【請求項４】　下取付け枠の垂直壁の室外側面と本体部における竪取付け枠下端部の室内側面との間に
設ける
し
竪取付け枠
請求項３に記載の
【発明の詳細な説明】
　【０００１】
　【発明の属する技術分野】
　本発明は、出窓に関する。
　【０００２】
　【従来の技術】
　出窓は、室内側の上取付け枠、下取付け枠および左右の竪取付け枠（竪枠）を建物躯体に固定して取り付ける。
　しかし、従来の出窓では、出窓の底部下面から、底部内側へ外気の侵入があり、室内空間とつながる出窓の室内側部材を冷却することがあった。
　また、出窓は、底部の空間に床部の平面形状とほぼ一致した形状の断熱底部材を有し、底部の断熱を図っているが、底部の内側空間に外気が侵入すると断熱底部材による断熱機能は半減して、断熱出窓であるにも関わらず、高い断熱性能を得ることが難しかった。
　【０００３】
　【発明が解決しようとする課題】
　本発明は、高度の断熱性を有する出窓の提供を課題とする。
　【０００４】
　【課題を解決するための手段】
　本発明は、屋根部と本体部と底部とを備え、底部は躯体に当接する垂直壁を有する横方向の下取付け枠を備える。
　下取付け枠の垂直壁の室外側面と本体部の竪取付け枠下端部の室内側面との当接部をシール材で密封する。
　この構造により、竪取付け枠の下端部と下取付け枠との当接部個所が、密封され、この部分から外気が侵入するのを阻止することができる。この結果、高い断熱性を備えた出窓を得ることができる。
　シール材は、下取付け枠の垂直壁の室外側面と本体部の竪取付け枠下端部の室内側面との当接部の全面に配置することもあれば、帯状あるいはストリップ状のシール材を用いて竪取付け枠下端部の室内側面を横断する配置とすることもある。
　【０００５】
　底部に断熱底部材を備え、断熱底部材の周囲と底部を構成する枠材内面との間にシール材を設け、このシール材を第２のシール材とし、竪取付け枠下端部の室内側面と下取付け枠の垂直壁との当接部に設けるシール材を第１のシール材として、第２のシール材と第１のシール材とを連続させる。
　断熱底部材によって、出窓底部を通じた熱の出入りを遮断でき、また、第１シール材と第２シール材が連続するので、外気の侵入をより確実に阻止することができる。この結果、出窓として高度の断熱効果を得ることができる。
　断熱底部材は、発泡スチロールやコルク材等であり、保形成はあるが柔軟なものと硬質のものがある。
　本体部の竪取付け枠の下端にキャップを設け、下端の開口を閉塞する。この際、キャップに差込み片を一体に形成することがある。差込片は、竪取付け枠下端部から第１のシール材に到達する長さを有し、竪取付け枠における室内側面の凹部に嵌入して下取付け枠における垂直壁との当接面を平らに形成する。
　従来構造の出窓においても、竪取付け枠下端のキャップを交換するだけで、竪取付け枠と下取り付き枠間の間隙を塞ぎ、出窓における断熱効果の改善を図ることができる。
　本体部を構成する枠材を室外側形材と室内側形材とに分割し、枠材の室外側形材と室内側形材とを断熱材を介して結合した構造のいわゆる断熱出窓とし、竪取付け枠下端部と下取付け枠の垂直壁との間に配置するシール材を断熱シール材とする。シール材を通じての熱移動も遮断され、出窓の断熱性能が向上する。
　【０００６】
　【発明の実施の形態】
　図１〜６は、第１の実施形態で、角形（図２）の出窓１を示している。
　出窓１は、屋根部２と本体部３および底部４からなり、本体部３と底部４は、構成部材が一部重合する。これらの構造は従来の出窓構造と格別に異なるところはない。
　すなわち、本体部３は正面部５と左右両側の袖部６（ａ，ｂ）で構成し、本体部３を、袖部６（ａ，ｂ）の室内側竪枠７（ａ，ｂ）と底部４の室内側に位置する下取付け枠８（図１）を建物の開口部躯体９（ａ〜ｄ）に固定して取り付け、その上部に屋根部２を、下部に底部４をそれぞれ取り付けて出窓１を構成している。
　竪枠７（ａ，ｂ）は、出窓１を建物の躯体に取り付ける部材でもあるので、竪取付け枠７（ａ，ｂ）と称することとする。
　【０００７】
　符号１０は床板で、本体部３の下部を形成する枠体、すなわち、正面部下枠１１と左右の袖部下枠１２（ａ，ｂ）の内側面に形成してある受け溝１３に室外側縁を差し込み、中間を下取付け枠８の上縁に載置し、さらに、室内側を開口部躯体９ｃに支持させて固定することにより取り付けてある。
　下取付け枠８は、本体部３の正面見付け幅にほぼ等しい長さを有し、同じ長さの垂直壁１４と、一定の幅で室外側へ張り出す水平壁１５を備える。下取付け枠８は、垂直壁１４を開口部躯体９ｃの室外側面に当接して固定する（図１）。
　なお、この実施例において、下取付け枠８は、水平壁１５から室外側へ延出させて底板１６を一体に形成している（図５）。したがって、この下取付け枠８を取り付ける時は、まず、底板１６の正面および袖の辺を正面部下枠１１や袖部下枠１２（ａ，ｂ）の下面側に係合させてから、垂直部１４を開口部躯体９ｃに固定する（図１）。
　竪取付け枠７（ａ，ｂ）は、下端面の開口をキャップ１７で閉塞し（図６）、その下端面を下取付け枠８の左右端部で水平部１５に載置し、下端部の室内側面を下取付け枠８の垂直壁１４の室外側面に当接させて取り付けてある（図４）。また、床板１０と底板１６間の底部空間１８には、発砲スチロールを成形した断熱底部材１９を載置する。
　【０００８】
　竪取付け枠７（ａ，ｂ）を下取付け枠８に取り付けるとき、下取付け枠８における垂直壁１４の左右両端部の室外側面にシール材２０（ａ，ｂ）を取り付けておく。すなわち、竪取付け枠７（ａ，ｂ）を下取付け枠８に取り付けたとき、竪取付け枠７（ａ，ｂ）の下端部室内側面と下取付け枠８の垂直壁１４の室外側面との当接個所をシール材２０（ａ，ｂ）で密封してある。
　これによって、竪取付け枠７（ａ，ｂ）の下端面と下取付け枠８の水平部１５との当接個所から侵入する外気はシール材２０（ａ，ｂ）に阻止されて底部空間１８に到達することができない。
　したがって、底部空間１８に冷気が流れ込んで出窓１の室内側部材の温度を下げ、結露が発生するということがない。また、間隙が密封されることで防音性能も向上する。
　【０００９】
　シール材２０（ａ，ｂ）はこの実施形態において、両面に接着加工をしたストリップ材であり、そのために竪取付け枠７（ａ，ｂ）の下端部室内側面を横断する方向に取り付けてあるが、シール材２０（ａ，ｂ）は竪取付け枠７（ａ，ｂ）の下端部室内側面と下取付け枠８の垂直壁１４との当接個所の全面に設けておいても良い。ただし、ストリップ材の方が扱いやすく、コスト的にも有利である。断熱底部材１９は、周縁にシール材２１を巻き付けるように取付けてあり、断熱底部材１９と底部４を構成する枠材、すなわち、正面部下枠１１、左右の袖部下枠１２（ａ，ｂ）の内面との間および下取付け枠８の垂直壁１４の室外側面との間を密封する。このとき、竪取付け枠下端部と下取付け枠８の垂直壁１４との間に設けたシール材２０（ａ，ｂ）（第１のシール材）と、断熱底部材１９の周縁に取り付けたシール材２１（ａ，ｂ）の室内側面部分（第２のシール材）とを左右で連続させる。この構成によると、竪取付け枠下端部以外の出窓底部の下面から侵入する外気があっても、断熱底部材１９に設けてあるシール材２１（ａ，ｂ）以上に移動することがないので、出窓１の室内側部材が冷却されて結露するということがない。符号２７は支持材で断熱底部材１９が直接に底板１６と接触しないようにしている。
　【００１０】
　この実施形態は、いわゆる断熱出窓の構成となっており、本体部３を構成する枠体は室外側形材と室内側形材とを断熱部材で結合してある。竪取付け枠７（ａ，ｂ）においても、室外側形材２２と室内側形材２３を断熱部材２４で結合してあり、設計上の要請から、断熱部材２４の個所に凹条２５を有している。このためキャップ１７は、竪取付け枠７（ａ，ｂ）の下端部を閉塞する部分から上方へ突出した差込み片２６を備え、キャップ１７を装着すると、差込み片２６が凹条２５を埋め、竪取付け枠７（ａ，ｂ）の下端部室内側面（垂直壁１４との当接面）を平らに形成する。差込み片６の高さは、第１のシール材（シール材２０）に到達する大きさとしてある。
　この構成であると、キャップ１７を装着することによって、竪取付け枠７（ａ，ｂ）における凹条２５を平らにして、シール材２０（ａ，ｂ）との接触を完全なものとし、凹条２５を通じての外気の侵入を阻止することができる。
　断熱出窓においては、シール材２０（ａ，ｂ）やシール材２１を断熱性能を有するものにすると、断熱効果がより向上する。
　【００１１】
　図７，８は第２の実施形態を示し、台形出窓の場合である。台形出窓であることにより、断熱底部材１９や底板１６および竪取付け枠７（ａ，ｂ）の形態が、異なるが、出窓１としての基本的な構造はほぼ同じである。同じ部材に同じ符号を付して詳しい説明を省略する。
　図８において、竪取付け枠７（ａ，ｂ）の断面形状は台形出窓における袖部の傾斜にあわせて横枠取付け面２９が室内側面に対して傾斜している点が特徴であるが、やはり、室外側部材２２と室内側部材２３に分離され断熱部材２４で接続されている。ただし、室内側面においても、この断熱部材２４の個所に凹条２５はなく室内側面は平らなので、キャップ１７に凹条２５に嵌入する差込み片２６を設ける必要はない。
　【００１２】
　以上の説明において、断熱底部材１９は、発泡スチロールの比較的固い素材の成形品としたが、軟質の発泡ウレタンのように、取付け時に底部４を構成する枠材の形状に合わせて形を変形でき、その弾力で持って、枠材に密着する成形品の場合は、シール材２１を省略することもある。
　下取付け枠８と底板１６は別部材として形成することもある。この場合、底板１６の室外側縁は底部４を構成する枠体の下面部に係合し、室内側縁は下取付け枠８の水平部１５に上方から係合して取り付ける。
　シール材２０（ａ，ｂ）は下取付け枠８における垂直壁１４の室外側面に取り付けたが、竪取付け枠７（ａ，ｂ）の下端部室内側面であっても良い。また、シール材２１は断熱底部材１９の周縁に設けて、底部４を構成する枠材の内面側に設けても良い。
　【００１３】
　【発明の効果】
　請求項１に記載の構成によれば、出窓の底部下面からの外気が竪取付け枠下端部と下取付け枠の垂直壁との当接部を通じて出窓底部の内部に入り込むのを防止するので、出窓の室内側部材が外気の影響を受けにくい。この結果、断熱効果が向上し、また、結露を防止することができる。
さらに、出窓底部の全周にわたって下面からの外気の侵入をより確実に防止して高い断熱性能および防音性能を得ることができる。
　請求項２に記載の構成によれば、
請求項１の構成に加えさらに、
　請求項
３
　請求項
４
請求項３の効果に加えさらに、作業のしやすい帯状やストリップに成形されたシール材を利用することができる。また、必要な個所にシール材を配置することができるので、出窓のコストを低減することができる。
【図面の簡単な説明】
　【図１】
　図２のＡ−Ａ線に沿った断面で示す側面図（第１の実施形態）
　【図２】
　図１のＢ−Ｂ線に沿った断面で示す平面図
　【図３】
　図１のＣ−Ｃ線に沿った断面で示す正面図
　【図４】
　底部を分解して示す斜視図
　【図５】
　図１の底部を拡大して示す図
　【図６】
　（ａ）はキャップの竪取付け枠の下端に対する取付け状態を示す正面図、（ｂ）は（ａ）の平面図
　【図７】
　底部を分解して示す斜視図（第２の実施形態）
　【図８】
　竪取付け枠の取付け個所を示す断面による平面図（第２の実施形態）
　【符号の説明】
　１　角形出窓
　２　屋根部
　３　本体部
　４　底部
　５　正面部
　６ａ　左袖部
　６ｂ　右袖部
　７ａ　左竪枠（竪取付け枠）
　７ｂ　右竪枠（竪取付け枠）
　８　下取付け枠
　９（ａ〜ｄ）　建物の開口部躯体
　１０　床板
　１１　正面部下枠
　１２　袖部下枠
　１３　受け溝
　１４　垂直壁
　１５　水平壁
　１６　底板
　１７　キャップ
　１８　底部空間
　１９　断熱底部材
　２０（ａ，ｂ）　シール材
　２１　シール材
　２２　室外側形材
　２３　室内側形材
　２４　断熱部材
　２５　凹条
　２６　差込み片
　２７　支持材
　２８　横枠取付け面